(57)【要約】【課題】シリーズものの番組の録画をする際に不要なものを録画しない予約録画方法を提供する。【解決手段】放送で受信した映像音声情報または外部入力の映像音声情報を、内蔵または取り出し可能な記録メディアに録画する機能と、映像音声情報の録画を予約指定により予約する予約機能とを有する録画装置であって、決まった曜日、時間に放送されるシリーズものの番組の予約録画時に予約指定が、一つまたは複数の曜日指定により複数の予約録画を指定させる機能３３と、予約録画開始日を指定させる機能３４とを有する。これにより、不要な番組や映像音楽情報が録画されないため、録画媒体がＨＤＤの場合の不要な録画コンテンツを消去する手間をユーザに強いることもなく、ＤＶＤ−Ｒ等の追記不可の記録媒体の一部又は全部の記録領域を無駄にしない。【選択図】図３
2008283596.tif 000002
【特許請求の範囲】
【請求項１】
放送で受信した映像音声情報または外部入力の映像音声情報を、内蔵または取り出し可能な記録メディアに録画する際、前記映像音声情報の録画を予約指定により予約する予約録画方法であって、決まった曜日、時間に放送されるシリーズものの番組の予約録画時に前記予約指定が、一つまたは複数の曜日指定により複数の予約録画を指定させるステップと、予約録画開始日を指定させるステップとを含むことを特徴とする予約録画方法。
【請求項２】
前記予約指定が放送受信チャンネルまたは外部入力の映像音声ソースと録画する日時とを指定させるステップを含む請求項１記載の予約録画方法。
【請求項３】
前記予約指定が放送受信チャンネルまたは外部入力の映像音声ソースと、ＥＰＧの番組表情報に基づいて録画する日時とを指定させるステップを含み、前記番組表情報から指定した予約録画情報の日時指定を変更する請求項１記載の予約録画方法。
【請求項４】
放送で受信した映像音声情報または外部入力の映像音声情報を、内蔵または取り出し可能な記録メディアに録画する機能と、前記映像音声情報の録画を予約指定により予約する予約機能とを有する録画装置であって、決まった曜日、時間に放送されるシリーズものの番組の予約録画時に前記予約指定が、一つまたは複数の曜日指定により複数の予約録画を指定させる機能と、予約録画開始日を指定させる機能とを有することを特徴とする録画装置。
【請求項５】
前記予約指定が放送受信チャンネルまたは外部入力の映像音声ソースと録画する日時とを指定させる機能を有する請求項４記載の録画装置。
【請求項６】
前記予約指定が放送受信チャンネルまたは外部入力の映像音声ソースと、ＥＰＧの番組表情報に基づいて録画する日時とを指定させる機能を有し、前記番組表情報から指定した予約録画情報の日時指定を変更可能とした請求項４記載の録画装置。
【請求項７】
放送で受信した映像音声情報または外部入力の映像音声情報を、内蔵または取り出し可能な記録メディアに録画する際、前記映像音声情報の録画を予約指定により予約する予約録画方法であって、決まった曜日、時間に放送されるシリーズものの番組の予約録画時に前記予約指定が一つまたは複数の曜日指定により複数の予約録画を指定させるとともに、前記予約録画を指定させる際の指定時間の設定において深夜０時以降を２４時に加算した時刻を設定させることを特徴とする予約録画方法。
【請求項８】
放送で受信した映像音声情報または外部入力の映像音声情報を、内蔵または取り出し可能な記録メディアに録画する機能と、前記映像音声情報の録画を予約指定により予約する予約機能とを有する録画装置であって、決まった曜日、時間に放送されるシリーズものの番組の予約録画時に前記予約指定が一つまたは複数の曜日指定により複数の予約録画を指定させる機能を有し、前記予約録画を指定させる際の指定時間の設定において深夜０時以降を２４時に加算した時刻を設定させることを特徴とする録画装置。
【請求項９】
放送で受信した映像音声情報を、内蔵または取り出し可能な記録メディアに録画する機能と、前記映像音声情報の録画の予約機能とを有する録画装置であって、放送電波の受信状態を検知し、受信状態が良くない場合にユーザに伝達する機能を有することを特徴とする録画装置。
【請求項１０】
外部入力の映像音声情報を、内蔵または取り出し可能な記録メディアに録画する機能と、前記映像音声情報の録画の予約機能とを有する録画装置であって、外部入力の信号を検知し、無信号の場合にユーザに伝達する機能を有することを特徴とする録画装置。
【請求項１１】
前記ユーザに伝達する機能が表示装置である請求項９または１０記載の録画装置。
【請求項１２】
前記ユーザに伝達する機能が警告音又は音声案内等の音声出力である請求項９または１０記載の録画装置。
【請求項１３】
受信状態が悪い場合又は外部入力の信号が無信号の場合に、前記予約機能が該当する放送受信チャンネル又は外部入力の映像音声ソースを指定した予約録画操作を受け付けない請求項９または１０記載の録画装置。
【請求項１４】
受信状態が悪い場合又は外部入力の信号が無信号の場合に、前記予約機能が該当する放送受信チャンネル又は外部入力の映像音声ソースを指定した予約録画操作時に操作画面に警告を表示する請求項９または１０記載の録画装置。
【発明の詳細な説明】
【技術分野】
【０００１】
本発明は、ビデオカセットレコーダやＤＶＤレコーダなどの映像音楽記録装置における予約録画方法および録画装置に関するものである。
【背景技術】
【０００２】
近年、映像音楽記録装置はＴＶ放送等を記録しておきユーザが視聴したい時間に視聴することができるタイムシフトと、記録したコンテンツを保存できるという利便性を提供しており、広く普及してきている。また映像音楽記録装置はＨＤＤ等の内蔵記録媒体と記録型ＤＶＤ等の取り出し可能な記録媒体の両方に対応したものも出てきている。その中で、従来の映像音楽記録装置は、ユーザが映像音楽記録装置の設置場所にいないため、直接映像音楽記録装置を操作して録画をすることができない場合は予め放送チャンネルや外部入力等の録画ソースの選択と、録画する日時を指定する予約録画をすることにより、録画開始時刻に映像音楽記録装置を操作しなくても録画することができる。また、放送局が提供しているＥＰＧ等の番組表情報を用いて予約録画をする機能を持つ映像音楽記録装置も普及してきており、予約録画の操作を簡素化という利便性と映像音楽記録装置が自動で番組表情報を定期的に追跡することにより、放送予定の変更による録画ミスを防ぐという利便性までも提供してきている。また、予約録画対象の番組は連続ドラマ等のように1週間に一度、決まった曜日の決まった時間に繰り返し放映され、続き番組になっているものがあり、ユーザがその番組を予約録画する場合、全ての放映日時を指定しなくても、予約録画設定時に録画日時を「毎週＊曜日」、毎日、「月曜〜金曜」「月曜〜土曜」を選択することにより、繰り返し放映番組の予約録画を指定することができる。また、ＥＰＧ等の番組表を用いて録画番組を指定した場合でも、録画日時を「毎週Ｘ曜日」、毎日、「月曜〜金曜」「月曜〜土曜」に変更することにより実現できる。また、番組表情報から最終回を検出して、最終回以降は予約録画をキャンセルする機能も持つものもある。
（例えば、特許文献１参照。）
図８は従来の映像音楽記録装置における、予約録画設定画面の一例である。各設定部に対する入力手段はリモコンでもタッチパネルでも本体釦操作でも構わない。図８において、８０は予約録画設定画面を表す案内表示、８１は予約録画対象を設定するsource選択部、８３は日付又は毎週の曜日又は月曜〜金曜や毎日から選択することにより録画日を設定する録画日指定部、８４は録画開始時刻を設定する録画開始時刻指定部、８５は録画終了時刻を設定する録画終了時刻指定部、８６は録画対象となる記録媒体の残量を録画可能時間で表示する残量表示部、８７は録画後のデータのタイトルを入力するタイトル入力部、８８は録画対象となる記録媒体を選択する記録先指定部、８９は８４と８５で指定した録画開始時刻と録画終了時刻の差分から録画時間を算出して表示する録画時間表示部、８１０は録画画質を指定する録画画質指定部、８１１は前記の指定が全て完了した際、予約録画を確定する予約録画確定指定部である。ユーザは前記のsource選択部８１、録画日指定部８３、録画開始時刻指定部８４、録画終了時刻指定部８５、タイトル入力部８７、記録先指定部８８、録画画質指定部８１０を全て指定した後、予約録画確定指定部８１１にて予約を確定させる。
【０００３】
図９は従来の映像音楽記録装置にて毎週、決まった曜日を指定して予約録画した場合の録画対象の時間を示した図である。図では具体的な日、曜日、時間帯を記載したので、具体的な日、曜日、時間帯を用いて説明する。3/8(金)から始まる毎週木曜の21:00〜21:54の番組９０を2/26(月)に予約録画を設定する場合、図８の録画日指定部８３には「毎週木曜」と指定して予約する。すると、番組開始日である3/8と予約録画設定日の2/26の間に毎週木曜日に該当する3/1(木)が存在するため、本来不要な3/1(木)の21:00〜21:54の番組９１についても録画動作を実行する。
【特許文献１】特開２００６−３３２８６５号公報
【発明の開示】
【発明が解決しようとする課題】
【０００４】
従来の映像音楽記録装置では、予約録画設定時に録画日時を「毎週＊曜日」、毎日、「月曜〜金曜」「月曜〜土曜」を選択した場合、予約設定をした日とユーザが予約録画を開始したい日時の間に指定した「毎週＊曜日」、毎日、「月曜〜金曜」「月曜〜土曜」の条件に該当する日時が存在する場合、不要な番組や映像音楽情報が録画されてしまう。例えば、予約録画設定日が月曜で、木曜から始まる月曜〜金曜に放映される番組を予約した場合、火曜、水曜、予約録画設定時刻と予約時間によっては月曜当日も不要な番組を録画してしまうことになる。これにより、録画媒体がＨＤＤの場合は不要な録画コンテンツを消去する手間をユーザに強いてしまい、録画媒体がＤＶＤ−Ｒ等の追記不可の場合は消去もできないため一部又は全部の記録領域を無駄にしてしまう。
【０００５】
また、「月曜〜金曜」「月曜〜土曜」に放映される番組を予約録画する場合で、その番組の放映時間が深夜０時以降の場合、「月曜〜金曜」「月曜〜土曜」ではなく、「日曜〜木曜」「日曜〜金曜」となってしまうため、日曜の不要な番組が録画され、金曜又は土曜の必要な番組が録画されない。
【０００６】
また、アンテナとの接続状態不良等で放送受信状態が悪い場合、又は外部入力が接続不良又は信号供給源が動作せず信号供給されていない場合、予約録画により記録媒体に録画されているはずのコンテンツが録画されない。
【０００７】
したがって、本発明の目的は、番組を予約録画する際に不要なものを録画しない予約録画方法および録画装置を提供することである。
【課題を解決するための手段】
【０００８】
上記課題を解決するために、本発明の請求項１記載の予約録画方法は、放送で受信した映像音声情報または外部入力の映像音声情報を、内蔵または取り出し可能な記録メディアに録画する際、映像音声情報の録画を予約指定により予約する予約録画方法であって、決まった曜日、時間に放送されるシリーズものの番組の予約録画時に予約指定が、一つまたは複数の曜日指定により複数の予約録画を指定させるステップと、予約録画開始日を指定させるステップとを含むことを特徴とする。
【０００９】
この構成によれば、予約設定をした日とユーザが予約録画を開始したい日時の間に指定した条件に該当する日時が存在しても、予約録画開始日を指定させるステップとを含むので、不要な番組や映像音楽情報が録画されない。そのため、記録メディアが内蔵されたＨＤＤ等の場合の不要な録画コンテンツを消去する手間をユーザに強いることもなく、取り出し可能なＤＶＤ−Ｒ等の場合の追記不可の記録媒体の一部又は全部の記録領域を無駄にしないという利便性をユーザに提供できる。
【００１０】
請求項２記載の予約録画方法は、請求項１において、予約指定が放送受信チャンネルまたは外部入力の映像音声ソースと録画する日時とを指定させるステップを含む。この構成によれば、放送受信チャンネルまたは外部入力の映像音声ソースと録画する日時とを選択して予約録画を指定することができる。
【００１１】
請求項３記載の予約録画方法は、請求項１において、予約指定が放送受信チャンネルまたは外部入力の映像音声ソースと、ＥＰＧの番組表情報に基づいて録画する日時とを指定させるステップを含み、番組表情報から指定した予約録画情報の日時指定を変更する。この構成によれば、放送受信チャンネルまたは外部入力の映像音声ソースと、ＥＰＧ番組表情報に基づいて録画する日時を選択して予約録画を指定することができるとともに、番組表情報から指定した予約録画情報の日時指定を変更することができる。
【００１２】
請求項４記載の録画装置は、放送で受信した映像音声情報または外部入力の映像音声情報を、内蔵または取り出し可能な記録メディアに録画する機能と、映像音声情報の録画を予約指定により予約する予約機能とを有する録画装置であって、決まった曜日、時間に放送されるシリーズものの番組の予約録画時に予約指定が、一つまたは複数の曜日指定により複数の予約録画を指定させる機能と、予約録画開始日を指定させる機能とを有することを特徴とする。これにより、請求項１記載の予約録画方法と同様の効果が得られる。
【００１３】
請求項５記載の録画装置は、請求項４において、予約指定が放送受信チャンネルまたは外部入力の映像音声ソースと録画する日時とを指定させる機能を有する。
【００１４】
請求項６記載の録画装置は、請求項４において、予約指定が放送受信チャンネルまたは外部入力の映像音声ソースと、ＥＰＧの番組表情報に基づいて録画する日時とを指定させる機能を有し、番組表情報から指定した予約録画情報の日時指定を変更可能とした。
【００１５】
請求項７記載の予約録画方法は、放送で受信した映像音声情報または外部入力の映像音声情報を、内蔵または取り出し可能な記録メディアに録画する際、映像音声情報の録画を予約指定により予約する予約録画方法であって、決まった曜日、時間に放送されるシリーズものの番組の予約録画時に予約指定が一つまたは複数の曜日指定により複数の予約録画を指定させるとともに、予約録画を指定させる際の指定時間の設定において深夜０時以降を２４時に加算した時刻を設定させることを特徴とする。
【００１６】
この構成によれば、例えば「月曜〜金曜」「月曜〜土曜」の深夜の番組を録画予約する場合でも、予約録画を指定させる際の指定時間の設定において深夜０時以降を２４時に加算した時刻を設定させることにより、録画日がずれたりせず、適切な予約録画ができるという利便性をユーザに提供できる。
【００１７】
請求項８記載の録画装置は、放送で受信した映像音声情報または外部入力の映像音声情報を、内蔵または取り出し可能な記録メディアに録画する機能と、映像音声情報の録画を予約指定により予約する予約機能とを有する録画装置であって、決まった曜日、時間に放送されるシリーズものの番組の予約録画時に予約指定が一つまたは複数の曜日指定により複数の予約録画を指定させる機能を有し、予約録画を指定させる際の指定時間の設定において深夜０時以降を２４時に加算した時刻を設定させることを特徴とする。これにより、請求項７記載の予約録画方法と同様の効果が得られる。
【００１８】
請求項９記載の録画装置は、放送で受信した映像音声情報を、内蔵または取り出し可能な記録メディアに録画する機能と、映像音声情報の録画の予約機能とを有する録画装置であって、放送電波の受信状態を検知し、受信状態が良くない場合にユーザに伝達する機能を有することを特徴とする。
【００１９】
この構成によれば、放送受信状態が悪い状態であることを検知してユーザに知らせることにより、放送受信状態が悪い状態であることが原因の予約録画の失敗を回避できるという利便性をユーザに提供できる。
【００２０】
請求項１０記載の録画装置は、外部入力の映像音声情報を、内蔵または取り出し可能な記録メディアに録画する機能と、映像音声情報の録画の予約機能とを有する録画装置であって、外部入力の信号を検知し、無信号の場合にユーザに伝達する機能を有することを特徴とする。
【００２１】
この構成によれば、外部入力の信号が無信号を検知してユーザに知らせることにより、外部入力の信号が無信号であることが原因の予約録画の失敗を回避できるという利便性をユーザに提供できる。
【００２２】
請求項１１記載の録画装置は、請求項９または１０において、ユーザに伝達する機能が表示装置である。この構成によれば、放送受信状態が悪い状態であること又は外部入力の信号が無信号を検知してユーザに表示により知らせることができる。
【００２３】
請求項１２記載の録画装置は、請求項９または１０において、ユーザに伝達する機能が警告音又は音声案内等の音声出力である。この構成によれば、放送受信状態が悪い状態であること又は外部入力の信号が無信号を検知してユーザに音声により知らせることができる。
【００２４】
請求項１３記載の録画装置は、請求項９または１０において、受信状態が悪い場合又は外部入力の信号が無信号の場合に、予約機能が該当する放送受信チャンネル又は外部入力の映像音声ソースを指定した予約録画操作を受け付けない。この構成によれば、放送受信状態が悪い状態であること又は外部入力の信号が無信号であることが原因の予約録画の失敗を確実に回避できる。
【００２５】
請求項１４記載の録画装置は、請求項９または１０において、受信状態が悪い場合又は外部入力の信号が無信号の場合に、予約機能が該当する放送受信チャンネル又は外部入力の映像音声ソースを指定した予約録画操作時に操作画面に警告を表示する。この構成によれば、放送受信状態が悪い状態であること又は外部入力の信号が無信号であることが原因の予約録画の失敗を予め回避できる。
【発明の効果】
【００２６】
本発明の予約録画方法と録画装置は、「毎週＊曜日」、毎日、「月曜〜金曜」「月曜〜土曜」を選択と同時に録画開始日を指定できるので、予約設定をした日とユーザが予約録画を開始したい日時の間に指定した「毎週＊曜日」、毎日、「月曜〜金曜」「月曜〜土曜」の条件に該当する日時が存在しても、不要な番組や映像音楽情報が録画されない。そのため、録画媒体がＨＤＤの場合の不要な録画コンテンツを消去する手間をユーザに強いることもなく、ＤＶＤ−Ｒ等の追記不可の記録媒体の一部又は全部の記録領域を無駄にしないという利便性をユーザに提供できる。
【００２７】
また、「月曜〜金曜」「月曜〜土曜」に放映される番組を予約録画する場合で、その番組の放映時間が深夜０時以降の場合、２４を加算した時刻を指定できるため、「月曜〜金曜」「月曜〜土曜」の深夜の番組を録画予約する場合でも、録画日がずれたりせず、適切な予約録画ができるという利便性をユーザに提供できる。
【００２８】
また、放送受信状態が悪い状態であること又は外部入力の信号が無信号を検知して、ユーザに知らせる又は、予約録画設定時に設定を受け付けない又は警告することにより、放送受信状態が悪い状態であること又は外部入力の信号が無信号であることが原因の予約録画の失敗を回避できるという利便性をユーザに提供できる。
【発明を実施するための最良の形態】
【００２９】
以下、本発明の実施の形態について図面を用いて説明する。
【００３０】
図１は本発明の実施の形態１における映像音楽記録装置のブロック図である。
【００３１】
この映像音楽記録装置は、放送で受信した映像音声情報または外部入力の映像音声情報を、内蔵または取り出し可能な記録メディアに録画する機能と、映像音声情報の録画を予約する機能とを備える。すなわち、図１において、１０は放送を受信して放送の映像信号と音声信号を信号切替部１５に供給する放送受信部、１１はアンテナからのケーブル等を接続することにより放送受信部１０に放送電波を供給する放送電波入力部、１２は放送受信部１０での受信状態を検出し、受信状態を制御部１１０に出力する受信状態検出部、１３は映像音楽記録装置からの映像音楽出力を出力したり、外部からの映像音楽信号を入力し、信号切替部１５へ出力する外部入出力部、１４は外部からの入力信号を検出して検出状態を制御部１１０に出力する入力信号検出部、１７はＨＤＤ等の内蔵型記録媒体、１８はＤＶＤ等の入替型記録媒体の記録読出を行う入替型記録媒体記録読出手段、１９は入替型記録媒体である。
【００３２】
信号切替部１５は、制御部１１０の指示により、信号処理部１６への映像音声信号の出力を放送受信部１０からの信号か、外部入出力部１３からの信号かを選択して出力する。信号処理部１６は、記録媒体から読み出したデータを映像音声信号に変換して外部入出力部１３へ出力したり、信号切替部１５から入力された映像音声信号を記録媒体への記録用データに変換して記録媒体へ出力する。
【００３３】
制御部１１０は、操作部１１１からの指示信号、受信状態検出信号、入力信号検出信号を受け取り、各記録媒体１７，１９、信号処理部１６、信号切替部１５、表示部１１２を制御する。操作部１１１は、ユーザからの操作指示を制御部１１０に伝える。表示部１１２は、制御部１１０からの指示によりユーザへの情報を表示する表示部である。
【００３４】
図２は本発明の実施の形態１における映像音楽記録装置の表示部の一例である。
【００３５】
図２において、２０は現在録画可能と判断した録画対象として選択可能となるsourceの表示である。これを見て、ユーザは録画対象が録画可能か否かを判断することが可能である。録画可能か否かの判定方法については図６のフローチャートにて説明するのでここでは割愛する。source表示２０には一例として各録画対象となる地上波、ＢＳ、ＣＳ、外部入力１、外部入力２が用意されている。録画対象が異なる場合は対象に合わせて変更しても構わない。また、録画可能か否かの表示方法については、点灯、消灯、点滅、表示色変更等からユーザが認知し易いものを選択するとよい。また、放送受信ＮＧや外部入力無信号など、録画不可時にＢＥＥＰ音や音声案内を併用しても構わない。
【００３６】
図３は本発明の実施の形態１における映像音楽記録装置の予約録画操作画面の一例である。
【００３７】
図３において、３０は予約録画設定画面を表す案内表示、３１は予約録画対象を設定するsource選択部、３２はsource選択部３１で選択したsourceが録画ＮＧの時に警告を表示するsource警告表示部、３３は日付又は毎週の曜日又は月曜〜金曜や毎日から選択することにより録画日を設定する録画日指定部、３４は録画日指定部３３の録画日指定が毎週の曜日又は月曜〜金曜や毎日のように複数回繰り返す指定の場合のみ表示され繰り返し録画の開始日を設定する繰り返し録画開始日指定部、３５は録画開始時刻を設定する録画開始時刻指定部、３６は録画終了時刻を設定する録画終了時刻指定部、３７は録画対象となる記録媒体の残量を録画可能時間で表示する残量表示部、３８は録画後のデータのタイトルを入力するタイトル入力部、３９は録画対象となる記録媒体を選択する記録先指定部、３１０は録画開始時刻指定部３５と録画終了時刻指定部３６で指定した録画開始時刻と録画終了時刻の差分から録画時間を算出して表示する録画時間表示部、３１１は録画画質を指定する録画画質指定部、３１２は前記の指定が全て完了した際、予約録画を確定する予約録画確定指定部、３１３はsource選択部３１で選択したsourceが録画不可状態の時に予約確定できないことを表示する予約確定不可警告表示部、３１４は予約確定不可警告表示部の警告の理由を表示する予約確定不可警告理由表示部である。
【００３８】
案内表示３０、source選択部３１、録画日指定部３３、録画開始時刻指定部３５、録画終了時刻指定部３６、残量表示部３７、タイトル入力部３８、記録先指定部３９、録画時間表示部３１０、録画画質指定部３１１、予約録画確定指定部３１２の一連の操作は従来と同様なので割愛する。
【００３９】
ユーザは前記のsource選択部３１、録画日指定部３３、録画開始時刻指定部３５、録画終了時刻指定部３６、タイトル入力部３８、記録先指定部３９、録画画質指定部３１１を全て指定した後、予約録画確定指定部３１２にて予約を確定させるのは従来の操作と同様であるが、source選択部３１で選択したsourceが録画ＮＧの時にsource警告表示部３２が表示され、録画ＮＧを警告、また、source警告表示部３２の録画ＮＧ警告がＮＧの場合に予約録画確定指定部３１２での予約確定できず、予約確定不可警告表示部３１３と予約確定不可警告理由表示部３１４にて予約確定不可警告と予約確定不可警告理由が表示されるところが従来の予約録画操作と異なる。
【００４０】
図４は本発明の実施の形態１における映像音楽記録装置にて毎週、決まった曜日を指定して予約録画した場合の録画対象の時間を示した図である。
【００４１】
すなわち、連続ドラマ等のように決まった曜日、時間に放送されるシリーズものの番組の予約録画時に予約指定が、「毎週＊曜日」、毎日、「月曜〜金曜」「月曜〜土曜」等、一つまたは複数の曜日指定により複数の予約録画を指定させるステップと、予約録画開始日を指定させるステップとを行う。図では具体的な日、曜日、時間帯を記載したので、具体的な日、曜日、時間帯を用いて説明する。3/8(金)から始まる毎週木曜の21:00〜21:54の番組４０を2/26(月)に予約録画を設定する場合、図３の録画日指定部３３には「毎週木曜」と指定して予約する。すると図３の３４に録画開始日指定部が表示されるため、録画開始日を3/8(金)と指定することにより、番組開始日である3/8と予約録画設定日の2/26の間の本来不要な3/1(木)の21:00〜21:54の番組４１は録画されず、予約録画対象のみ正確に録画される。
【００４２】
また、図３の録画開始時刻３５と録画終了時刻３６は０：００から２４：００ではなく、２４：００を超えて次の日にかかる時刻も２４とその時刻を加算した時刻にて設定可能である。一般的には翌日６：００までを前日の２４：００以降の加算として、３０：００まで設定可能とすれば実用上問題ない。一般的に放送局の番組の放送の管理は０：００〜２４：００ではなく、６：００〜３０：００にて管理していることが多く、月曜〜金曜の２４：００以降の深夜の放映番組を予約録画する場合、２４：００〜３０：００を開始時刻、終了時刻に設定すれば、月曜〜金曜が日曜〜木曜にずれて録画を失敗することがない。
【００４３】
図５は、本発明の実施の形態１における映像音楽記録装置の状態チェック部分のフローチャートである。本処理は、本体の電源ＯＮ時と予約録画待機状態時には定期的に実施、また、録画開始、予約録画操作に入る直前に実施する。
【００４４】
図５において、５０は電源ＯＦＦか否かを判定する電源ＯＦＦ判定ステップ、５１は前記電源ＯＦＦ判定ステップがＯＦＦの場合に放送受信部の通電をＯＮにする放送受信部通電ＯＮステップ、５２は前記ＯＦＦの場合に信号処理部の通電をＯＮにする信号処理部通電ＯＮステップ、５３は前記ＯＦＦの場合に外部入出力部の通電をＯＮにする外部入出力部通電ＯＮステップ、５４は受信ＮＧフラグをクリアした上で受信状態の図１の受信状態検出部１２が出力する受信状態をチェックする受信状態チェックステップ、５５は受信状態ＯＫか否かをチェックしてＯＫの場合ステップ５７に、ＮＧの場合はステップ５６に遷移する受信ＯＫ判定ステップ、５６は受信ＮＧフラグをセットしてステップ５７に移行する受信ＮＧフラグセットステップ、５７は無信号フラグをクリアした上で受信状態の図１の入力信号検出部１３が出力する入力信号状態をチェックする外部入力チェックステップ、５８は入力信号が無信号か否かをチェックして信号ありの場合状態チェック終了に、ＮＧの場合はステップ５９に遷移する入力信号無信号判定ステップ、５９は無信号フラグをセットして状態チェック終了に移行する無信号フラグセットステップである。
【００４５】
図６は、本発明の実施の形態１における映像音楽記録装置の状態表示更新のフローチャートである。本処理は前記状態チェックフローの後に実施する。
【００４６】
図６において、６０は受信ＮＧフラグをチェックする受信ＮＧフラグチェックステップ、６１は受信ＮＧフラグがＯＮの場合にステップ６２にＯＦＦの場合はステップ６３に移行する受信ＮＧフラグ判定ステップ、６２は受信状態ＮＧを表示に反映し、受信ＯＫになるまで表示を保持し、ステップ６４に移行する受信ＮＧ表示ステップ、６３は受信状態ＯＫを表示に反映し、受信ＮＧになるまで表示を保持し、ステップ６４に移行する受信ＯＫ表示ステップ、６４は無信号フラグをチェックする無信号フラグチェックステップ、６５は無信号フラグがＯＮの場合にステップ６６にＯＦＦの場合はステップ６７に移行する無信号フラグ判定ステップ、６６は外部入力ＮＧを表示に反映し、外部入力ＯＫになるまで表示を保持し、表示更新終了に移行する外部入力ＮＧ表示ステップ、６７は外部入力ＯＫを表示に反映し、外部入力ＮＧになるまで表示を保持し、表示更新終了に移行する受信ＯＫ表示ステップである。
【００４７】
図７は本発明の実施の形態１における映像音楽記録装置の予約録画操作の一例のフローチャートであり、このフローは図３における予約録画操作をユーザが実施する場合の映像音楽記録装置の制御部の動作により実現する。
【００４８】
図７を用いて予約録画操作における、制御部の動作フローを説明する。ユーザの操作により予約録画操作が指定（予約指定）された場合、７０の予約録画操作画面表示ステップにて予約録画操作画面が表示しステップ７１に移行する。７１の受信ＮＧフラグチェックステップにて、受信状態がＮＧか否かをチェックし、ステップ７２へ移行する。７２の無信号フラグチェックステップにて、外部入力が無信号か否かをチェックし、ステップ７３へ移行する。ステップ７３にてステップ７１、７２での結果と、予約録画操作画面のsourceに表示されているものとを照らし合わせ、該当するsourceがＯＫかＮＧかを判断し、ＯＫの場合はステップ７５に、ＮＧの場合はステップ７４に移行する。前記予約録画操作画面のsourceに表示されているものは、予約録画操作画面に入る前に通常動作で選択されているsourceが反映される。７４の警告表示ステップにて、図３の３２にsourceが放送受信の場合は「受信できません」等の警告を表示し、sourceが外部入力の場合は「無信号です」等の警告を表示し、その表示を保持したままステップ７５に移行する。７５の継続操作判定ステップにて、次の操作指示があれば即座にステップ７９へ移行し、操作指示がない場合はステップ７６へ移行する、７６と７７の一定時間待ちステップと継続操作有無判定ステップにて、一定時間ウエイト中に操作がなければステップ７８に移行し、操作があった場合はステップ７９へ移行する。７８の予約録画面終了ステップでは、予約録画操作画面の表示を中止し、通常画面に戻して予約録画操作処理を終了する。７９のsource操作判定ステップでは、継続操作がsource操作か否かを判定し、source操作であればステップ７１０に移行し、そうでなければステップ７１７に移行する。
【００４９】
７１０の放送選択判定ステップにて、source操作による指定が放送ならばステップ７１１に移行し、そうでなければステップ７１３に移行する。７１１の受信ＮＧフラグチェックステップで、受信状態がＮＧか否かをチェックし、ステップ７１２へ移行する。７１２の受信ＯＫ判定ステップにて、ステップ７１０での結果が受信ＯＫの場合はステップ７１７に、ＮＧの場合はステップ７１５に移行する。７１３の無信号フラグチェックステップで、外部入力が無信号か否かをチェックし、ステップ７１４へ移行する。７１４の外部入力無信号判定ステップにて、ステップ７１３での結果が無信号の場合はステップ７１５に、無信号でない場合はステップ７１７に移行する。７１５の警告表示ステップにて、図３の３２にsourceが放送受信の場合は「受信できません」等の警告を表示し、sourceが外部入力の場合は「無信号です」等の警告を表示し、その表示を保持した状態でステップ７１６へ移行する。なお、警告表示ステップ７１５において、ユーザに伝達する機能が警告音又は音声案内等の音声出力であってもよい。７１６の確定ＮＧフラグセットステップにおいて、予約録画の確定ＮＧのフラグをセットしてステップ７１７へ移行する。
【００５０】
７１７の録画日操作判定ステップにおいて、録画日操作か否かを判定し、録画日操作の場合はステップ７１８に移行し、そうでない場合はステップ７２０に移行する。７１８の繰り返し録画操作判定ステップにおいて、録画日操作で選択された録画日が毎週＊曜日又は月曜〜金曜又は毎日などの繰り返し録画か日にち指定かを判定し、前者の場合はステップ７１９に移行し、後者の場合はステップ７２０に移行する。７１９の録画開始日選択箇所表示ステップにおいて、図３の３４の録画開始日指定部が表示され、ステップ７２０に移行する。７２０の予約録画操作通りの表示変更ステップでは、予約録画操作ステップにおいて、選択されたものを表示と予約録画情報に反映してステップ７２１へ移行する。このとき、ステップ７２０で実施される操作が録画日、source選択のいずれかに該当する場合は、それぞれステップ７１７，７９に移行するよう分岐してもよい。
【００５１】
なお、ステップ７２０では、繰り返し録画時の録画開始日設定部の表示が追加されるので、ユーザ操作は録画開始日設定を実施するのが普通であるが、図３に示す予約録画操作画面ではその他の操作も可能であり、特に繰り返し録画を解除するために録画日を変更したり、先に録画するsourceを変更したりするという操作もあり得るので、上記のようにステップ７１７，７９に移行するよう分岐してもよいと記述している。
【００５２】
７２１の継続操作判定ステップで、継続操作があればステップ７２６に移行し、なければステップ７６に移行する。７２６の予約確定操作判定ステップにおいて、継続操作が予約確定操作か否かを判定し、予約確定操作であればステップ７２２に、そうでなければステップ７２７に移行する。７２７のsource操作判定ステップにて、継続操作がsource操作であればステップ７１０に、そうでなければステップ７１７に移行する。７２２の確定ＮＧフラグチェックステップにおいて、確定ＮＧフラグをチェックしステップ７２３に移行する。７２３の確定ＮＧ判定ステップにおいて、確定ＮＧであればステップ７２４に移行し、ＯＫであればステップ７２８に移行する。７２４の予約ＮＧ表示ステップにおいて、図３の予約確定不可警告表示部３１３に「予約できません」等の警告を表示してステップ７２５に移行する。７２５のＮＧ理由表示ステップにおいて、放送受信ＮＧの場合は図３の予約確定不可警告理由表示部３１４に受信ＮＧの放送、例えば「地上波ＮＧ」と表示し、外部入力無信号の場合、「外部入力１無信号」等の予約不可の理由を表示し、ステップ７２１へ移行し、次の操作を待つ。７２８の予約情報保存ステップにおいて、予約操作画面で指定された予約録画情報を保存し、ステップ７２９へ移行する。７２９の予約録画待機ステップにおいて、オンスクリーンディスプレイに予約録画を受け付けました等のメッセージ表示を行ったり、ＬＣＤの予約録画状態表示部や予約録画受付状態ＬＥＤの点灯等のユーザへのアナウンスと装置の予約録画待機状態にしてステップ７８に移行し、予約録画画面を終了する。複数の予約録画を受け付ける機能を有する場合は、受け付けた予約録画の一覧表を表示してもよい。
【００５３】
なお、予約指定がＥＰＧ等の番組表情報に基づいて録画する日時を指定させるステップを含み、番組表情報から指定した予約録画情報の日時指定を変更して、一つまたは複数の曜日指定により複数の予約録画を指定させるステップと、予約録画開始日を指定させるステップとを行うようにしてもよい。
【００５４】
また、受信状態が悪い場合又は外部入力の信号が無信号の場合に、予約機能が該当する放送受信チャンネル又は外部入力の映像音声ソースを指定した予約録画操作時に操作画面に警告を表示したが、予約録画操作を受け付けないようにしてもよい。
【産業上の利用可能性】
【００５５】
本発明の予約録画方法と録画装置は、「毎週＊曜日」、毎日、「月曜〜金曜」「月曜〜土曜」を選択と同時に録画開始日を指定できるので、映像音楽記録装置を用いたシリーズものの番組の予約録画に有用である。また、映像音楽記録装置だけでなく、放送受信機能を持つ携帯電話やカーナビゲーション等の移動体機器での受信、記録や、それらを用いた据置機器の遠隔操作にも応用できる。前記放送受信検出や外部入力の信号検出についてはＴＶ受像機に搭載し、ＬＣＤ等の表示手段や画面のオンスクリーンディスプレイ、またＬＥＤの点灯、点滅、消灯により常時表示することにより、電波状態を初期設定メニューを選択しての煩雑なチェックをしなくてもユーザが確認できるようにしてもよい。
【図面の簡単な説明】
【００５６】
【図１】本発明の実施の形態１における映像音楽記録装置のブロック図。
【図２】実施の形態１における映像音楽記録装置の表示図。
【図３】実施の形態１における映像音楽記録装置の予約録画操作画面の概念図。
【図４】実施の形態１における予約録画対象日時の説明図。
【図５】実施の形態１における状態チェックのフローチャート。
【図６】実施の形態１における表示更新のフローチャート。
【図７】実施の形態１における予約録画操作のフローチャート。
【図８】従来の映像音楽記録装置の予約録画操作画面の概念図。
【図９】従来の予約録画対象日時の説明図。
【符号の説明】
【００５７】
１０  放送受信部
１１  放送電波入力部
１２  受信状態検出部
１３  外部入出力部
１４  入力信号検出部
１５  信号切替部
１６  信号処理部
１７  内蔵型記録媒体
１８  入替型記録媒体記録読出手段
１９  入替型記録媒体
１１０  制御部
１１１  操作部
１１２  表示部
３０  案内表示
３１  source選択部
３２  source警告表示部
３３  録画日指定部
３４  録画開始日指定部
３５  録画開始時刻指定部
３６  録画終了時刻指定部
３７  残量表示部
３８  タイトル入力部
３９  記録先指定部
３１０  録画時間表示部
３１１  録画画質指定部
３１２  予約録画確定指定部
３１３  予約確定不可警告表示部
３１４  予約確定不可警告理由表示部
【図１】
2008283596.tif 000003
【図２】
2008283596.tif 000004
【図３】
2008283596.tif 000005
【図４】
2008283596.tif 000006
【図５】
2008283596.tif 000007
【図６】
2008283596.tif 000008
【図７】
2008283596.tif 000009
【図８】
2008283596.tif 000010
【図９】
2008283596.tif 000011